(57)【要約】子供たちが指を口に入れて習慣的にしゃぶることを效率的に防止できる指しゃぶり防止装置を提供する。この装置は使用者の親指を挿入して着用する吸入部、前記吸入部から所定の長さに延びて使用者の手の平の方を取り囲む第１固定部、前記吸入部から所定の長さに延びて着用者の手の甲の方を取り囲んで前記第１固定部に結着される第２固定部、前記吸入部から所定の長さに延びて着用者の親指の側面を取り囲む第３固定部、び前記互いに結着された前記第１固定部及び第２固定部と前記第３固定部を連結して固定する連結バンドを備える 。
2004524874.tif 000002
【特許請求の範囲】
【請求項１】
使用者の親指を挿入して着用する吸入部、
前記吸入部から所定の長さに延びて使用者の手の平の方を取り囲む第１固定部、
前記吸入部から所定の長さに延びて着用者の手の甲の方を取り囲んで前記第１固定部に結着される第２固定部、
前記吸入部から所定の長さに延びて着用者の親指の側面を取り囲む第３固定部、及び
前記互いに結着された前記第１固定部及び第２固定部と前記第３固定部を連結して固定する連結バンド、
を備えることを特徴とする指しゃぶり防止装置。
【請求項２】
前記吸入部は、中空の円筒状であることを特徴とする請求項１に記載の指しゃぶり防止装置。
【請求項３】
前記吸入部は、その内面に使用者の指と内面との空気路を形成する長手方向の突出部を備えることを特徴とする請求項２に記載の指しゃぶり防止装置。
【請求項４】
前記吸入部は、その下段部の直径が上段部の直径より大きいことを特徴とする請求項３に記載の指しゃぶり防止装置。
【請求項５】
前記吸入部は、その下段部と前記第１、第２及び第３固定部のうち、少なくともいずれかとの連結部位に形成された隙間を備えることを特徴とする請求項４に記載の指しゃぶり防止装置。
【請求項６】
前記第１固定部には複数の挿入孔が形成され、前記第２固定部の表面には中空状の複数の結合突起が形成されて、着用時には前記第２固定部の複数の結合突起が前記第１固定部の複数の挿入孔に挿入結合されることを特徴とする請求項１ないし請求項５のいずれかに記載の指しゃぶり防止装置。
【請求項７】
前記複数の結合突起の個数は、前記複数の挿入孔の個数より一つ少なく形成されることを特徴とする請求項６に記載の指しゃぶり防止装置。
【請求項８】
前記第３固定部の表面には複数の突出状通孔が形成され、前記第１固定部の挿入孔に挿入されて突出した複数の結合突起のうち、いずれかと前記複数の突出状通孔とのうち、いずれかに前記連結バンドが挿入されて固定されることを特徴とする請求項７に記載の指しゃぶり防止装置。
【請求項９】
前記連結バンドは、三枝槍形状で突出した形状の第１連結部と、前記第１連結部の中央突出部の端部に形成されて前記第２連結部に挿入される挿入輪と、前記第１連結部に挿入固定される第２連結部と、第２連結部に形成されて前記第１連結部の挿入輪が挿設する挿入輪締結部と、前記第１及び第２連結部の間に延びる連結帯と、前記連結帯の一端に形成されて前記連結バンドの長さを調節する長さ調節部と、を備えることを特徴とする請求項８に記載の指しゃぶり防止装置。
【請求項１０】
前記第１、第２及び第３固定部は、前記吸入部を中心として互いに１２０゜に形成されることを特徴とする請求項９に記載の指しゃぶり防止装置。
【発明の詳細な説明】
【０００１】
【発明の属する技術分野】
本発明は指しゃぶり防止装置に関するもので、より詳細には子供たちが指を口に入れて習慣的にしゃぶることを效率的に防止できる装置に関するものである。
【０００２】
【従来の技術】
一般的に、子供たちは幼児期を過しながら親指や、その他の指を睡眠中または目を覚ましている間でも、無意識的にしゃぶる傾向がある。指をしゃぶる習慣は程度と期間の差があるだけで、殆どの子供から現れる症状である。指をしゃぶることは、指についているホコリや各種の細菌等の異質物を吸入するようになるという点と、指がはれて裂けると共に、胼胝ができて出血があったり、また、激しい場合には口の構造上の問題を引き起こして顔面骨格の変形をもたらすようになるという点等、色々な副作用を引き起こすようになる。このような指しゃぶり習慣に対しては、色々な原因が提示されているが、科学的に原因を見出して、このような症状をはっきりとなくすことができる方法はまだ提示されていなかった。ただし、このような指しゃぶり行為が発生した以後に事後的に習慣を直すようにする方法が提示されている程度に過ぎない。
【０００３】
このように事後的に習慣を直すためには、指に特殊な化学物質を貼り付ける方法があるが、これは子供に不快な味を感じさせてストレスを引き起こし、自分の指、口の構造、及び身体に対する嫌悪感を持たせるようになるおそれもあるから好ましくない。したがって、効果的に指しゃぶり行為を防ぐためには、手に着用できる手袋等と類似の特殊装置を使用する方法が好ましいものと評価されているが、このような分野の従来技術は殆ど子供の手に対して過度の拘束感を引き起こして、固定手段の粗悪性により手から離脱しやすいという問題がある。
【０００４】
また、従来技術は指に重ねてかぶせる手袋と類似の形態を有するので、子供が口に入れて指をしゃぶる時、異物感を感じるという点以外には特別な効果を有していないので、習慣を効果的に直すのには困難である不具合があった。
【０００５】
【発明の開示】
したがって、本発明は前述の問題点を解決するためになされたもので、空気の流れを用いて詰まり及び真空が生じないようにすることによって、自然な状態で特別な拒否感なしに、指しゃぶり習慣を効果的に防ぐことができる装置を提供することにその目的がある。
【０００６】
また、子供の手に容易に着用でき、一旦着用すると容易に抜けないようにして、子供自らが装置を離脱させることが防止できる装置を提供することに他の目的がある。
前述の目的を達成するための本発明の指しゃぶり防止装置は、使用者の親指を挿入して着用する吸入部、前記吸入部から所定の長さに延びて使用者の手の平の方を取り囲む第１固定部、前記吸入部から所定の長さに延びて着用者の手の甲の方を取り囲んで前記第１固定部に結着される第２固定部、前記吸入部から所定の長さに延びて着用者の親指の側面を取り囲む第３固定部、及び前記互いに結着された前記第１固定部及び第２固定部と前記第３固定部を連結して固定する連結バンドを備えることを特徴とする。
【０００７】
また、前記吸入部は、中空の円筒状であることを特徴とする。
また、前記吸入部は、その内面に使用者の指と内面との空気路を形成する長手方向の突出部を備えることを特徴とする。
さらに、前記吸入部は、その下段部の直径が上段部の直径より大きいことを特徴とする。
さらに、前記吸入部は、その下段部と前記第１、第２及び第３固定部のうち、少なくともいずれかとの連結部位に形成された隙間を備えることを特徴とする。
またさらに、前記第１固定部には複数の挿入孔が形成され、前記第２固定部の表面には中空状の複数の結合突起が形成されて、着用時には前記第２固定部の複数の結合突起が前記第１固定部の複数の挿入孔に挿入結合されることを特徴とする。
またさらに、前記複数の結合突起の個数は、前記複数の挿入孔の個数より一つ少なく形成されることを特徴とする 。
【０００８】
また、前記第３固定部の表面には複数の突出状通孔が形成され、前記第１固定部の挿入孔に挿入されて突出した複数の結合突起のうち、いずれかと前記複数の突出状通孔とのうち、いずれかに前記連結バンドが挿入されて固定されることを特徴とする。
さらに、前記連結バンドは、三枝槍形状で突出した形状の第１連結部と、前記第１連結部の中央突出部の端部に形成されて前記第２連結部に挿入される挿入輪と、前記第１連結部に挿入固定される第２連結部と、第２連結部に形成されて前記第１連結部の挿入輪が挿設する挿入輪締結部と、前記第１及び第２連結部の間に延びる連結帯と、前記連結帯の一端に形成されて前記連結バンドの長さを調節する長さ調節部と、を備えることを特徴とする。
【０００９】
またさらに、前記第１、第２及び第３固定部は、前記吸入部を中心として互いに１２０゜に形成されることを特徴とする。
本発明によれば、空気の流れを用いて空気の詰まり及び真空が生じないようにすることによって、子供が指をしゃぶると同時に、空気を吸入するようになるので、持続的に指しゃぶりことが難しくなり、よって子供の指しゃぶ習慣を短期間に効果的に防ぐことができる効果がある。
【００１０】
また、本発明によれば、子供の手に容易に着用することができ、一旦着用すると容易に抜けないようにして、子供自らが装置を離脱させることが防止できる効果がある。
【００１１】
【発明の実施の形態】
以下、図面を参照しながら本発明の好ましい実施の形態について説明する。
【００１２】
図１は本発明の一実施の形態に係る指しゃぶり防止装置の斜視図である。図１に示すように、本実施の形態に係る指しゃぶり防止装置は、前記着用者が親指を挿入着用して口に入れる吸入部１０と、前記吸入部１０から所定の長さに延びて着用者の手の平の方を取り囲む第１固定部２０と、前記吸入部１０から所定の長さに延びて着用者の手の甲の方を取り囲んで前記第１固定部２０に結着される第２固定部３０と、前記吸入部１０から所定の長さに延びて着用者の親指の側面を取り囲む第３固定部４０と、互いに結着された前記第１固定部２０及び第２固定部３０と前記第３固定部４０を通過して固定される連結バンド５０とを備える。
【００１３】
参考に、本実施の形態に係る指しゃぶり防止装置を手に着用した状態が図２に示されている。図２に示すように、前記吸入部１０には親指が挿入される。また、前記第２固定部３０は手の甲の方を取り囲みながら降りて、手の平の方を取り囲みながら降りてきた第１固定部２０（不図示）に結合する。親指の側面に沿って取り囲む第３固定部４０は連結バンド５０により前記第１固定部２０及び前記第２固定部３０に結合するようになる。ここで、前記第１固定部２０と前記第２固定部３０の位置は、左手に着用する場合を基準として説明したもので、これらを変え合って形成することもでき、図に示すような装置をそのまま右手に着用する場合には、前記第１固定部２０と第２固定部３０の位置に変わり合うようになる。
【００１４】
図において、前記吸入部１０は下段部から上段部に向かうにしたがって、順次に狭くなる円筒状に示されているが、このような形態に限定するものではない。また、前記吸入部１０の内壁１１には、突出部１２が長手方向に沿って形成されている。前記突出部１２は挿入された親指と前記内壁１１との間に空気の流れを円滑にするための通路を形成して、子供が口で前記吸入部１０をしゃぶる場合にも空気の詰まり及び真空が生じないようにする役目を果たす。
【００１５】
本実施の形態に採用できる前記吸入部１０及び前記突出部１２の色々な形態の断面図と斜視図が図３に示されている。前記図３の吸入部と突出部の各々の形態は必要によって、互いに組み合わせて使用することができることは勿論である。図３において、内側から最も小さな円は指であり、その次の円が本装置の内壁として、前記内壁と前記指との間には図に示すように空気の円滑な流れのための通路が形成される。
【００１６】
一方、前記第１固定部２０には、前記吸入部１０から所定の長さに延びて３個の挿入孔２１が形成されている。前記挿入孔２１には前記第２固定部３０の表面に形成された結合突起３１が挿入される。図においては、３個の挿入孔が形成されているが、前記個数は使用者の手の大きさに合わせて適切に選択できる。前記第２固定部３０は前記吸入部１０から所定の長さに延び、その表面には２個の結合突起３１が形成されている。この突起は前述したように、前記挿入孔２１に挿入されて使用者の手に密着固定されるようにする。前記２個の結合突起３１は使用者の手の大きさに合わせて、前記３個の挿入孔２１のうち、連続する２個の挿入孔２１の中に挿入されて使用者の手との密着度を調節できる。
【００１７】
前記第３固定部４０は前記吸入部１０から所定の長さに延びおり、その表面には前記連結バンド５０が通過できる２個の突出状通孔が具備されている。前記２個の突出状通孔４１は使用者の手の大きさに合わせて連結バンド５０を引き締めることによって、手との密着度を調節する役目を果たす。この通孔は必要な場合３個または４個等にすることもできるが、子供の手の大きさを鑑みて２個または３個が好ましい。
【００１８】
前記第１、第２及び第３固定部は、吸入部１０を中心として約１２０゜の角度に形成することが、手に着用する際の安らかさ及び固定性の面からみて好ましい。
本実施の形態の指しゃぶり防止装置は子供の口に吸入されるものであるので、吸入の際、人体に影響を及ぼさない材質、例えばシリコン等の材質で一体成形することが好ましい。一方、本実施の形態に係る指しゃぶり防止装置を、前述のようなシリコン材質で一体成形する場合、亀裂及び摩耗による破れを防止できるように、表面及び側面全体に沿って、表面より若干突出した形態の亀裂防止膜４２を形成することが好ましい。また、前記吸入部１０と第１、第２及び第３固定部に連結された部位の亀裂を防止するために、図４の平面図に示すように隙間１３を形成することが好ましい。
【００１９】
一方、前記連結バンド５０は前記第２固定部３０の結合突起３１と前記第３固定部４０の突出状通孔４１を通過して、使用者の手首部で締結されることによって、装置を使用者の手に固着させる手段として、第１連結部５１、第２連結部５２、連結帯５３、長さ調節部５４及び挿入輪５５を備える。前記第１連結部５１は三枝槍形状の３個の突出部を備え、そのうち、中央にある突出部の端部には前記挿入輪５５が形成され、前記第２連結部５２に挿入されて連結バンド５０を固定させる。前記第２連結部５２は前記第１連結部５１が挿入されるものとして、前記突出部の端部に形成された挿入輪５５が飛び出ることができるように形成された挿入輪締結部５６を備える。前記連結帯５３は前記第１連結部５１と第２連結部５２との間に延び、その一端にはバンドの長さを調節するための長さ調節部５４が形成される。このような連結バンド５０により、図２に示すように、使用者の手首付近方において、本発明による指しゃぶり防止装置を使用者の手にしっかりと固着させる。着用しない場合には手から離脱しやすくなる。前述した連結バンド５０は、図に示すような形態に限定されるものではない。特に、連結部は多様な形態、例えばひも、ボタン型、スイッチ型等の色々な形態の連結手段を使用することができる。
【００２０】
以上のように、本発明の好ましい実施の形態を参照して本発明の構成を説明したが、本発明は前記実施の形態に限定されるものではなく、本発明の真の範囲内で色々な変形実施が可能であることは勿論である。
【図面の簡単な説明】
【図１】
図１は本発明の一実施の形態に係る指しゃぶり防止装置の斜視図である。
【図２】
図２は指しゃぶり防止装置を手に着用した状態を示した状態図である。
【図３】
図３は前記吸入部及び前記突出部の多様な形態の断面図と斜視図である。
【図４】
図４は本発明の一実施の形態に係る指しゃぶり防止装置の平面図である。
【国際公開パンフレット】
2004524874.tif 000003
2004524874.tif 000004
2004524874.tif 000005
2004524874.tif 000006
2004524874.tif 000007
2004524874.tif 000008
2004524874.tif 000009
2004524874.tif 000010
2004524874.tif 000011
2004524874.tif 000012
2004524874.tif 000013
2004524874.tif 000014
2004524874.tif 000015
2004524874.tif 000016
2004524874.tif 000017
2004524874.tif 000018
2004524874.tif 000019
【国際調査報告】
2004524874.tif 000020
2004524874.tif 000021